(57)【要約】【課題】非常用に使用できる運搬が容易で消音に優れ、小規模の発電に資することに特化した水路用小型発電装置を提供する。【解決手段】１リード分の複数の螺旋羽根２１を等角度で回転軸２４に配置した状態で巻着された多条螺旋羽根２と、軸受部３と樋状路を備えた台枠５と、前記台枠５に載置された発電機６から成る。前記各螺旋羽根２１の先端には上流側へ水平方向にフランジ２２が連続して突設されている。前記多条螺旋羽根２の回転軸２４が前記軸受部３に軸支される共に、前記樋状路内を非接触で回転するように構成される。螺旋羽根２１がＦＲＰ製であり、前記回転軸２４と発電機６が連繋されていることを特徴とする。【選択図】  図１
2018040303.tif 000002
【特許請求の範囲】
【請求項１】
１リード分の複数の螺旋羽根を等角度で回転軸に配置した状態で巻着された多条螺旋羽根と、軸受部と樋状路を備えた台枠と、前記台枠に載置された発電機から成り、前記各螺旋羽根の先端には上流側へ水平方向にフランジが連続して突設されていること、前記多条螺旋羽根の回転軸が前記軸受部に軸支される共に、前記樋状路内を非接触で回転するように構成されたこと、螺旋羽根がＦＲＰ製であること、及び前記回転軸と発電機が連繋されていることを特徴とする水路用小型発電装置。
【請求項２】
各螺旋羽根の基部と先端の中間部に上流側へ水平方向に一条のフランジが連続して突設されていることを特徴とする請求項１に記載の水路用小型発電装置。
【発明の詳細な説明】
【技術分野】
【０００１】
本考案は、河川の流れに沿って配設して、その水流を利用して得た回転力で発電する発電装置に関するものであり、特に人工的に配設した水路にも搬送自在に設置できる水路用小型発電装置に関するものである。
【背景技術】
【０００２】
河川の水流を利用して発電する装置は、従来から種々提案されている。
例えば、実用新案登録第３１４３１８９号公報では、自然の大小の河川に、その自然を害することなく配設して安定して使用でき、また、水位の変動にも無関係に動作することを可能とした目的で、河川の流れに沿って配する回転軸と、前記回転軸の外周に固設した複数の螺旋羽根部材と、前記回転軸及び前記螺旋羽根部材を、該回転軸の前後二箇所以上の部位で軸受を介して回転自在に支持しながら外装する円筒部材であって、その上流側端部に上流に向かって拡大するテーパ状流入口を備えた円筒部材と、前記テーパ状流入口の上流側端部から更に上流に向かって延長した先細りのストレーナと、回転型の発電装置であって、前記回転軸の回転力を受け取るべく、直接に又は回転伝達手段を介して間接に該回転軸に結合する発電装置と、で構成した小型水力発電機が開示されている。
【０００３】
また、特開２０１４‐４３８３１号公報では、回転軸の軸方向に沿った等配位置に、等分位置から腕片を放射状に円形に延ばしてなる骨材の中心孔を嵌合、固定し、該骨材の各腕片の先端側に、外縁に軟質部材を有する帯板を順次螺旋状に渡設してなる水車と、該水車の軟質部材が摺接する樋状路を備えた基台と、前記回転軸に連繋させた発電機とからなることを特徴とし、樋状路を通る水流により水車を無駄なく回転させ、発電を効率的に行えるように構成した水力発電設備が開示されている。
【先行技術文献】
【特許文献】
【０００４】
【特許文献１】実用新案登録第３１４３１８９号公報
【特許文献２】特開２０１４‐４３８３１号公報
【発明の概要】
【発明が解決しようとする課題】
【０００５】
本発明は、上記従来の河川を利用した汎用的な発電装置を目的とするものに対して、非常用に使用できる運搬が容易で消音に優れ、小規模の発電に資することに特化した水路用小型発電装置を提供せんとするものである。
【課題を解決するための手段】
【０００６】
本願の水路用小型発電装置に係る請求項１の発明は、１リード分の複数の螺旋羽根を等角度で回転軸に配置した状態で巻着された多条螺旋羽根と、軸受部と樋状路を備えた台枠と、前記台枠に載置された発電機から成り、前記各螺旋羽根の先端には上流側へ水平方向にフランジが連続して突設されていること、前記多条螺旋羽根の回転軸が前記軸受部に軸支される共に、前記樋状路内を非接触で回転するように構成されたこと、螺旋羽根がＦＲＰ製であること、及び前記回転軸と発電機が連繋されていることを特徴とするものである。
【０００７】
請求項２の水路用小型発電装置の発明は、請求項１に記載の発明において、各螺旋羽根の基部と先端の中間部に上流側へ水平方向に一条のフランジが連続して突設されていることを特徴とするものである。
【発明の効果】
【０００８】
本発明は、１リード分の複数の螺旋羽根を等角度で回転軸に配置した状態で巻着された多条螺旋羽根としたため、上下流方向の長さを短くできると共に、多条螺旋羽根で効率の良い回転力が得られ、コンパクトな構成となる効果を有する。
【０００９】
また、各螺旋羽根の先端には上流側へ水平方向にフランジが連続して突設されていることと、樋状路内を非接触で回転するように構成されているため、流水を効率良く利用でき、羽根による水の飛散を防止して消音効果を得られるものである。
そして、螺旋羽根がＦＲＰ製であるため軽量化を図れる効果を有する。
【００１０】
更に、各螺旋羽根の基部と先端の中間部に上流側へ水平方向に一条のフランジが連続して突設させることで、一層の効率の良い回転力と消音効果を得られるものであり、非常用に使用できる運搬が容易で消音に優れ、小規模の発電に資することに特化した水路用小型発電装置となるものである。
【図面の簡単な説明】
【００１１】
【図１】本発明の水路用小型発電装置を示す部分断面図である。
【図２】本発明の水路用小型発電装置を上流側から見た図１の左側面図である。
【図３】図１において多条螺旋羽根を一部断面視した部分断面図である。
【図４】螺旋羽根の他の実施の形態を示す部分断面図である。
【図５】図４において多条螺旋羽根を一部断面視した部分断面図である。
【発明を実施するための形態】
【００１２】
本発明の実施の形態を図面に基づいて説明する。
図１は、本発明の水路用小型発電装置を示す部分断面図である。
本願の水路用小型発電装置１に係る発明は、多条螺旋羽根２と、軸受部３と樋状部材４を備えた台枠５と、台枠５に載置された発電機６とで構成されている。
本装置を非常時や一時的に必要な場所の近くに在る水路内に設置することで、水路の流水で多条螺旋羽根２が回転し、この回転を発電機６に伝え、発電して電気を得るものである。
【００１３】
前記多条螺旋羽根２は、図面では四枚の螺旋羽根２１を等角度で回転軸２４に配置した状態で巻着され、各螺旋羽根２１は１リード分の長さの螺旋形状を成し、回転軸２４に当接する内側縁を形成してビス等の取付け手段や溶着等の適宜方法で装着することができる。
実際には、各螺旋羽根２１は１リード分より僅かに長く形成されている。
また、各螺旋羽根２１の先端には上流側へ水平方向にフランジ２２が連続して突設して形成されている。
【００１４】
螺旋羽根２を１リード分の長さとして小型化を図り、保管と非常用の運搬を容易とすると共に、複数の同一螺旋羽根２１を等角度で回転軸２４に配置して多条螺旋羽根２としたため、１リード間に互いの羽根が配置され、短距離でも複数の螺旋羽根２１の相乗の回転力を得られて、流水を効率良く利用できることになる。
また、フランジ２２で巻き込んだ水流を逃さず強力な回転力を得られ、巻き込んだ水が飛び散らないため消音作用も奏するものである。
【００１５】
螺旋形状を成す各螺旋羽根２１はＦＲＰ製で必要な強度と軽量化を得ることができる。
また、回転軸２４は塩化ビニ―ル製又はＦＲＰ製としてあり、上流側となる端部には伝導歯車２５が装着されており、前記台枠５に載置した発電機６の駆動軸の駆動歯車６１とに無端チェーン７が連繋されている。
回転軸２４に装着する伝導歯車２５についても、軽量化を図るためＦＲＰ等の樹脂が望まれるけれど、無端チェーン７との噛合部分についてはステンレス等の金属であるのが好ましい。
【００１６】
台枠５は、前記多条螺旋羽根２を収容可能な直方体の空間を有し、偶部をＬ型鋼材５１、５１・・・で構成した枠体であり、直方体の長手側面（設置時に水路の上・下流面となる。）には軸受部３、３を取付ける横材５２、５２が架設され、長手方向の上面には発電機６を設置する横材５３、５３が架設されている。
枠体とすることで軽量化を図り、人力での運搬や緊急の設置を容易迅速に行うことができる。
【００１７】
また、軸受部３、３は横材５２、５２より下方に垂下した位置に設けられ、横材５２、５２が水中に沈んで位置することにより、ごみ等が引っ掛るのを防止することができる。
【００１８】
さらに、台枠５の空間内には、側面と底面に被設した樋状部材４が設けられ、樋状の通路を形成し、前記多条螺旋羽根２が当該樋内を樋状部材４と非接触で回転するように前記軸受部３、３に回転可能に軸着して架設される。
樋状部材４は、例えば軽量な樹脂材が好ましく、枠体を構成するＬ型鋼材５１に適宜固定さている。
樋状部材４により流水を多条螺旋羽根２へ誘導させる作用を奏し、また、多条螺旋羽根２に巻き込んだ水が飛散しない作用も奏する。
【００１９】
図４は螺旋羽根２１の他の実施の形態を示すもので、各螺旋羽根２１の先端に上流側へ設けた水平方向にフランジ２２に加えて、基部と先端の中間部にも上流側へ水平方向に一条のフランジ２３が連続して突設されている。
先端の上流側へ設けた水平方向にフランジ２２と共に、一層の効率の良い回転力と消音作用を得られるものである。
【００２０】
以上説明した本発明の技術的範囲は、上記の実施の形態例に限定されるものではなく、本明細書及び図面に記載した事項から明らかになる本発明が真に意図する技術的思想の範囲全体に、広く及ぶものである。
【符号の説明】
【００２１】
１          水路用小型発電装置
２          多条螺旋羽根
３          軸受部
４          樋状部材
５          台枠
６          発電機
７          無端チェーン
２１        螺旋羽根
２２、２３  フランジ
２４        回転軸
２５        伝導歯車
５１        Ｌ型鋼材
５２、５３  横材
６１        駆動歯車
【図１】
2018040303.tif 000003
【図２】
2018040303.tif 000004
【図３】
2018040303.tif 000005
【図４】
2018040303.tif 000006
【図５】
2018040303.tif 000007